(57)【要約】【課題】本発明は、打ち揚げ後の玉皮のゴミを少なくすることができ、観客のケガのおそれを低減でき、安価かつ安全に製造可能な打ち揚げ花火玉を提供することを目的とする。【解決する手段】本発明に係る打ち揚げ花火玉の代表的な構成は、割薬３、星４、玉皮５、６からなる打ち上げ花火玉であって、玉皮６は、複数の玉皮６ａ、６ｂを分解容易に重ねてなることを特徴とする。【選択図】図１
2009275946.tif 000002
【特許請求の範囲】
【請求項１】
割薬、星、玉皮からなる打ち上げ花火玉であって、
前記玉皮は、複数の玉皮を分解容易に重ねてなることを特徴とする打ち揚げ花火玉。
【請求項２】
前記複数の玉皮は、貼り付けることなく／分解容易な程度に接着して、互いに重ねてなることを特徴とする請求項１に記載の打ち揚げ花火玉。
【発明の詳細な説明】
【技術分野】
【０００１】
本発明は、花火打揚に用いられる打ち揚げ花火玉に関するものである。
【背景技術】
【０００２】
従来、プレスで成型した紙からなる半球状の玉皮の内側に沿って星を配列し、星の内側に割薬を充填した２つの玉皮を合わせて、１つの玉とし、１つの玉の周りに紙を何重にも重ねて貼り付けてなる打ち揚げ花火玉が用いられている。
【０００３】
従来、特許文献１に記載されているように、打ち揚げ花火玉の打ち揚げ後の玉皮のゴミを少なくするため、分解可能な生分解プラスティックの玉皮を用いたものがある。
【０００４】
また、特許文献２に記載されているように、玉皮を火薬として、打ち揚げ時に焼却してしまうものもある。
【０００５】
【特許文献１】特開２００２−３５００９７号公報
【特許文献２】特開２００２−２７７１９７号公報
【発明の開示】
【発明が解決しようとする課題】
【０００６】
しかし、従来使用されている玉皮は、破片が厚く重量があるため、観客にケガのおそれがある。厚い玉皮は、落下後雨等で自然分解し難いため、環境に対し好適ではない。
【０００７】
また、特許文献１、２に記載された花火玉は、通常の紙を用いた玉皮に比べて高価であり、コストがかかる。また、特許文献１の玉皮は、破片が鋭くなった場合は、ケガのおそれがある。また、特許文献２の燃え尽きる玉皮は玉皮自体が火薬であるため、製造工程に危険を伴う。
【０００８】
そこで本発明は、打ち揚げ後の玉皮のゴミを少なくすることができ、観客のケガのおそれを低減でき、安価かつ安全に製造可能な打ち揚げ花火玉を提供することを目的とする。
【課題を解決するための手段】
【０００９】
上記課題を解決するために本発明に係る打ち揚げ花火玉の第一の構成は、割薬、星、玉皮からなる打ち上げ花火玉であって、前記玉皮は、複数の玉皮を分解容易に重ねてなることを特徴とする。
【００１０】
本発明に係る打ち揚げ花火玉の第二の構成は、前記複数の玉皮は、貼り付けることなく／分解容易な程度に接着して、互いに重ねてなることを特徴とする。
【００１１】
具体的には、玉皮は、接着剤の付いた紙を星と割薬を仕込んだ玉皮に貼り重ねる中で、２回にわたり接着剤をつけない布を巻いたもので、花火玉が上空で爆発した際、接着剤を付けない布を境に、玉皮が３層に（玉皮の厚み方向（半径方向）に３層に）分離することを特徴とする。
【発明の効果】
【００１２】
本発明によれば、打ち揚げ後の玉皮のゴミを少なくすることができ、観客のケガのおそれを低減でき、安価かつ安全に製造できる。
【発明を実施するための最良の形態】
【００１３】
本発明に係る打ち揚げ花火玉の実施形態について、図を用いて説明する。
【００１４】
（打ち揚げ花火玉１の構成）
図１は本実施形態に係る打ち揚げ花火玉１の構成図である。図２は打ち揚げ花火玉１の製造工程の説明図である。図１に示すように、打ち揚げ花火玉１は、導火線２、割薬３、星４、玉皮５、６を中心から順に球状に重ねてなる。
【００１５】
打ち揚げ花火玉１の玉皮６（６ａ、６ｂ）は、接着剤の付いた紙を星と割薬を仕込んだ玉皮５に貼り重ねる中で、２回にわたり接着剤をつけない布を巻いたもので、花火玉が上空で爆発した際、接着剤を付けない布を境に、玉皮が３層に（玉皮の厚み方向（半径方向）に３層に）分離する。
【００１６】
図２（ａ）に示すように、導火線２は、打ち揚げ花火玉１の外側から内側の中央まで挿入されている。星４は、半球状の玉皮５の内側に沿って配列される。図２（ｂ）、図２（ｃ）に示すように、割薬３は、玉皮５の内側に配列された星４の内側に充填される。玉皮５は、プレスで成型した紙であり、中空球形を２分割した半球形状となっている。図２（ｄ）、図２（ｅ）に示すように、割薬３、星４が充填された２つの玉皮５を合わせて、１つの玉とする。
【００１７】
１つの玉の周りに布を巻き、その布に紙を貼り付ける。何十にも紙を重ねて接着し、玉皮６ａを形成する。同様にして、玉皮６ａの周りに布を巻き、その布に紙を貼り付ける。何十にも紙を重ねて接着し、玉皮６ｂを形成する。
【００１８】
このように形成された打ち揚げ花火玉１は、打ち揚げ時に、導火線２に着火した火が割薬３を爆発させ、星４を飛び散らせて、打ち揚げ花火を表現する。
【００１９】
図３は従来の玉皮と本実施形態の玉皮を比較した図である。図３に示すように、従来の玉皮１５は、玉皮５に接着剤をつけた紙を４０枚貼り重ねて形成され、玉皮５、６を一体としている。このため、打ち揚げ後の玉皮１５は、厚くなる。
【００２０】
これに対し、本実施形態では、玉皮５と貼り付けられた４０枚の紙が、接着剤をつけない布を境に３層に分離する。このため、打ち揚げ後の玉皮5、玉皮６（６ａ、６ｂ）は、薄くなる。
【００２１】
例えば、１０号（３０ｃｍの玉）の場合、玉皮５の厚さ６ｍｍ、玉皮６の厚さ８ｍｍであり、従来１４ｍｍの厚さの玉皮が落下していたが、本実施形態では６ｍｍと４ｍｍと４ｍｍの厚さの玉皮が落下することになる。
【００２２】
また、２０号（６０ｃｍの玉）の場合、玉皮５の厚さ１０ｍｍ、玉皮６の厚さ１８ｍｍであり、従来２８ｍｍの厚さの玉皮が落下していたが、本実施形態では１０ｍｍと９ｍｍと９ｍｍの厚さの玉皮が落下することになる。
【００２３】
このように、花火玉の大きさによって、紙を貼り重ねる枚数が変わる。１０号玉の場合４０枚の紙を貼り重ねる。玉皮５の上に１枚布を巻き、その上に接着剤をつけた紙を２０枚貼り重ね、そこに布を１枚巻き、さらに接着剤をつけた紙を２０枚貼り重ねて完成する。
【００２４】
上述の如く、玉皮５に接着剤をつけた紙を貼り重ねる工程の中で、接着剤を付けない布を２回巻くことで、玉皮5、玉皮６が３層に分離容易（玉皮の厚みが３層に分離容易）になる。打ち揚げ後に玉皮５、６ａ、６ｂは、バラバラに落下し、玉皮５、６を一体としたものに比べて重量がかるく、紙であるため柔らかく、落下速度も遅くなる。このため、玉皮５、６ａ、６ｂが観客に当たったとしても、ケガのおそれを低減できる。
【００２５】
また、玉皮５、６は、３層に分かれるので、ゴミは増える可能性が高い。しかし、各玉皮は薄いため、雨等により分解し易くなり、結果としてゴミは減り、環境に対して好適である。
【００２６】
なお、玉皮６は、紙４０枚と布２枚からなると説明したが、本発明はこの数量に限定されるものではない。すなわち、複数の玉皮を分解容易に重ねたものであり、打ち揚げ後に複数の層に分かれ落下するものであればよい。
【図面の簡単な説明】
【００２７】
【図１】本実施形態に係る打ち揚げ花火玉１の構成図である。
【図２】本実施形態に係る打ち揚げ後の打ち揚げ花火玉１の構成図である。
【図３】従来の玉皮と本実施形態の玉皮を比較した図である。
【符号の説明】
【００２８】
１        …打ち揚げ花火玉
２        …導火線
３        …割薬
４        …星
５        …玉皮
６        …玉皮
【図１】
2009275946.tif 000003
【図２】
2009275946.tif 000004
【図３】
2009275946.tif 000005